(57)【要約】【課題】シート状物の延伸機において、高倍率の延伸や延伸区間を短縮させた急激な延伸、特にＴＤ方向の高倍率延伸に対して対応可能にする。【解決手段】折尺状に形成された複数個の等長リンク装置３１より成り熱可塑性樹脂のシート状物１の端部を把持する複数の掴み装置２をシート状物の両側端に具備した無端リンク装置３を、シート状物１の入口側及び出口側スプロケット４，８により駆動し、進行方向に末広がり状に配置されたガイドレール５〜７に案内されてシート状物１を横方向に延伸させた後、シート状物１を外し、入口側スプロケット４に戻るように構成されたシート状物１の延伸機において、等長リンクの交差角度を規制するチェーンリンク１３を該掴み装置２側に設ける。【選択図】　図３
2004122640.tif 000002
【特許請求の範囲】
【請求項１】
折尺状に形成された複数個の等長リンク装置より成り熱可塑性樹脂のシート状物の端部を把持する複数の掴み装置をシート状物の両側端に具備した無端リンク装置を、シート状物の入口側及び出口側スプロケットにより駆動し、進行方向に末広がり状に配置されたガイドレールに案内されてシート状物を横方向に延伸させた後、シート状物を外し、入口側スプロケットに戻るように構成されたシート状物の延伸機において、前記等長リンクの交差角度を規制するチェーンリンクを前記掴み装置側に設けたことを特徴とするシート状物の延伸機。
【請求項２】
請求項１において、該ガイドレールが、両端をピン結合で拘束される複数のレールを直列に連結したレール群により構成され、前記レール群の連結角度を変化させることにより末広がり状に配置させたことを特徴とするシート状物の延伸機。
【発明の詳細な説明】
【０００１】
【発明の属する技術分野】
本発明は、シート状物、例えば熱可塑性樹脂フィルム等を延伸するシート状物の延伸機に関するものである。
【０００２】
【従来の技術】
従来の延伸装置は、等長のリンクプレートを折尺状に連結した無端リンク装置の一端にフィルム把持装置を設け、このリンク装置を案内するガイドレールをフィルムの両側縁部に設け、複数個のスプロケットにより前記リンク装置を駆動する延伸機において、前記リンク装置の反フィルム側のリンクプレートの蝶着部に一端を枢着され他端をピンで結合されるチェーンリンクの他端部に複数個のピン穴を設け、フィルムの長手方向（縦方向，ＭＤ方向）の延伸倍率を有段可変させている（例えば、特許文献１参照）。
【０００３】
また、縦延伸倍率（ＭＤ延伸倍率），横延伸倍率（ＴＤ延伸倍率）を可変にすることを目的とし、ガイドレールの相対位置をハンドルねじ調整により可変として、無端リンク装置のピッチを変えることにより、多品種少量生産用として提案されている（例えば、特許文献２参照）。
【０００４】
【特許文献１】
特開昭６３−１１５７２２号公報（第１−２頁，第３図）
【特許文献２】
特開昭６１−５８７２３号公報（第１−３頁，第３図）
【０００５】
【発明が解決しようとする課題】
しかし、上記従来技術の延伸装置は、高倍率の延伸や延伸区間を短縮させた急激な延伸、特にＴＤ方向の高倍率延伸に対して配慮されていなかった。
【０００６】
例えば、従来技術のように、延伸前のフィルム掴みピッチがガイドレールにより構成される案内溝に保持される軸受け外径（或いはストッパー）により決定され、延伸後のフィルム掴みピッチが反フィルム側に位置するチェーンリンクにより決定される等長リンク装置はフィルム掴みピッチを徐々に拡大するとともに、ガイドレールを末広がり状に配置することで、縦横方向を同時に延伸する。このため、急激なカーブには追従し難く（詳細は後述）、高倍率の延伸を行うためには末広がり部の勾配を比較的ゆるく取り、フィルム進行方向長さを長くして対応するのが一般的であった。従って、設備が長くなり、過大な占有面積を必要とする他，リンク数の増加やフィルムを加温する付帯設備なども増加し不経済であった。また、従来技術をＴＤ方向の高倍率延伸を念頭に使用した横延伸（ＴＤ延伸）のみの場合、フィルム掴みピッチを等間隔に保持する必要があるが、フィルム掴みピッチを等間隔に保持させるためには、上記と同様の問題を有する。
【０００７】
本発明の目的は、高倍率の延伸や延伸区間を短縮させた急激な延伸、特にＴＤ方向の高倍率延伸に対して対応可能なシート状物の延伸機を提供することにある。
【０００８】
【課題を解決するための手段】
上記目的は、折尺状に形成された複数個の等長リンク装置より成り熱可塑性樹脂のシート状物の端部を把持する複数の掴み装置をシート状物の両側端に具備した無端リンク装置を、シート状物の入口側及び出口側スプロケットにより駆動し、進行方向に末広がり状に配置されたガイドレールに案内されてシート状物を横方向に延伸させた後、シート状物を外し、入口側スプロケットに戻るように構成されたシート状物の延伸機において、等長リンクの交差角度を規制するチェーンリンクを掴み装置側に設けることにより、達成される。
【０００９】
さらに、ガイドレールが、両端をピン結合で拘束される複数のレールを直列に連結したレール群により構成され、レール群の連結角度を変化させることにより末広がり状に配置させることでＴＤ方向の延伸倍率を無段変換可能にすることができる。
【００１０】
【発明の実施の形態】
本発明の実施例を図１〜図４により説明する。
【００１１】
図１は本発明の実施例である横延伸機の平面図、図２は等長リンク３１の断面図で、その構成及び動作は以下の通りである。
【００１２】
シート状物１の端部を把持する複数の掴み装置２をシート状物１の両側に具備した無端リンク装置３（図中リンクの一部並びに片側の無端リンクは省略）は折尺状に形成された複数個の等長リンク３１よりなり、シート状物の入口側スプロケット４で駆動され、進行方向に末広がり上に配置されたガイドレール５〜７に案内されて掴みピッチＰ１を保持しつつ、シート状物１を横方向に延伸させた後、シート状物１を掴み装置２より外し、出口側スプロケット８により駆動されて、入口側スプロケット４に戻るように構成されている。
【００１３】
前記ガイドレール５〜７は一対の組になった案内溝で、シート状物１に近いほうのシート側ガイド５と中間ガイド６より形成される案内溝にはシート状物１を把持する掴み装置２が連結されたリンク軸１０（図２）が軸受けローラ９１を介して保持される。他方の反シート側ガイド７と中間ガイド６より形成される案内溝には掴み装置２を有さないリンク軸１１（図２）が軸受けローラ９２を介して保持され、リンク軸１０，１１はリンクプレート１２により連結されるとともに、掴み装置２が連結されたリンク軸１０と相隣るリンク軸はチェーンリンク１３により連結され、チェーンリンク１３により、掴みピッチＰ１が決定される。
【００１４】
次に、図７に示す従来の延伸機平面方向の延伸部拡大図と図３に示す本発明の延伸機平面方向の延伸部拡大図及び図４の延伸部角度と掴みピッチ保持率の関係図により、本発明をより詳細に説明する。
【００１５】
シート状物１の進行方向と平行な部分から角度θの勾配を有する延伸部において、図７の従来例では、掴み装置２を有さないリンク軸を保持する軸受けローラ９２方向にチェーンリンク１４が配設されているため、反シート側ガイド７と中間ガイド６より形成される案内溝にはチェーンリンク１４の長さを保持する形で等間隔に軸受けローラ９２が移動する。また、シート側ガイド５と中間ガイド６より形成される案内溝を移動する軸受けローラ９１は、相隣る軸受けローラ９１間を拘束するものがないため、前記平行部と勾配部の連結部である屈曲部１５で急激に掴みピッチがＰ１からＰ２に拡大し、その後、勾配部で掴みピッチはＰ１に戻る。尚、図示していない延伸部出口の屈曲部では掴みピッチＰ１は上記とは逆に一時的に縮小されることは言うまでもない。
【００１６】
一方、図３の本発明では従来例とは逆に、掴み装置２を有するリンク軸１０を保持する軸受けローラ９１方向にチェーンリンク１３が配設されているため、シート側ガイド５と中間ガイド６より形成される案内溝を等間隔に軸受けローラ
９１が移動し、反シート側の軸受けローラ９２は、相隣る軸受けローラ９２間を拘束するものがないため、屈曲部１５で間隔が縮まる。このため、屈曲部１５で一対の等長リンク３１が折りたたまれた形となり、掴みピッチは一時的にＰ１からＰ２に拡大され、その後、勾配部で掴みピッチはＰ１に戻る。
【００１７】
上述の掴みピッチの拡大・縮小はシート状物１の性能（強度，繊維の配向性）を劣化させるばかりか、延伸角度θに依存した急激な掴みピッチの拡大によりシート状物１の破断やシート状物１の厚み斑を生じさせる。そこで、本発明者らは延伸角度θを因子とし、従来例と本発明の延伸角度と掴みピッチ保持率の関係を研究し、図４に示す結果を得た。
【００１８】
横軸は延伸角度θ、縦軸は最大掴みピッチＰ２を基準掴みピッチＰ１で除した掴みピッチ保持率で、掴みピッチ保持率が１．０　に近いほど、掴みピッチの拡大・縮小が少ないことを意味する。本結果より、全体的には延伸角度θの増加により、掴みピッチ保持率は増加傾向となるが、従来例と本発明を比較した場合、本発明が掴みピッチの拡大・縮小の少ない延伸機であることを見出した。尚、掴みピッチ保持率の許容範囲は対象とするシート状物１の組成，使用目的などにより異なるが、１．０５〜１．１程度の拡大（０．９〜０．９５程度の縮小）であれば許容可能と考える。
【００１９】
以上のことより、本実施例によれば、高倍率の延伸や延伸区間を短縮させた急激な延伸、特にＴＤ方向の高倍率延伸に対して対応可能である。これにより、過大な占有面積を必要とせず，リンク数やフィルムを加温する付帯設備なども最小限で良く、経済性の高い設備が構築できる。
【００２０】
尚、本実施例ではＴＤ方向の高倍率延伸を主眼に説明したが、延伸角度が小さい場合などは、延伸部において等長リンクの交差角度を徐々に拡大するようにガイドレールを配置することで、縦横同時延伸も可能である。また、本実施例ではＴＤ方向の高倍率延伸中、シート状物１に相対する掴みピッチＰ１を極力等しく保持する例を説明したが、シート状物１進行方向に平行なピッチを常にＰ１に保持（屈曲部１５不含）することも可能である。即ち、延伸区間では掴みピッチをＰ１／ｃｏｓθ　になるように等長リンクの交差角度を調整すれば良く、本操作により延伸部でのＭＤ方向収縮が起こらず、シート性能を向上させることが可能である。
【００２１】
図５は本発明のその他の実施例である等長リンクの断面図で、図２に示す実施例との相違点は、掴み装置２をリンクプレート１２の上端部に設置するとともに、フィルム側のリンク軸１０上部にスプロケット駆動用ローラ１６を配設したところにある。本発明の動作並びに効果等は前記実施例と同様であり、本実施例特有の効果は以下の通りである。
【００２２】
リンク軸１０は相隣るリンク軸とチェーンリンクで拘束されているため、スプロケット駆動用ローラ１６をフィルム側のリンク軸１０上部に配設することで、スプロケットに連結される掻き取り装置（図示せず）との位置決めが容易となる。
【００２３】
また、等長リンク装置３１の軸受け部には、軸受け寿命の延命化のためオイル噴霧を行うが、そのオイルがシート状物１に付着し、製品不良を来たすケースがある。しかし、本実施例では掴み装置２をリンクプレート１２の上端部に設置するため、シート状物１へのオイル付着が抑制され、図５の一点鎖線で示すように等長リンク装置３１を囲うことで、その抑制効果は更に向上する。
【００２４】
図６は本発明のその他の実施例を示す多関節ガイドレールの一例である。本発明はガイドレール５〜７が、両端をピン結合で拘束される複数のレール１７を直列に連結した多関節ガイドレールにより構成され、前記レール１７の連結角度を変化させことにより末広がり状に配置させた例である。本発明により、高倍率の延伸や延伸区間を短縮させた急激な延伸が具現化でき、ＴＤ方向の延伸倍率を無段変換可能なシート状物の延伸機が可能となる。
【００２５】
尚、本実施例では勾配部の全てのレール１７を同一角度で示したが、延伸部入口から延伸部中央部にかけ角度を徐々に急にし、延伸部中央部から延伸部出口にかけ角度を徐々に戻すよう配置できることは言うまでもない。また、レール１７をベースとし、その上面にガイドレール５〜７を配設し、そのベースを直列に連結することで、延伸倍率を無段変換可能なガイドレールとすることも可能である。
【００２６】
更に、レール１７連結部に最低２箇所（延伸部入口，出口）の凹凸部が発生するが、等長リンク３１の軸受けローラ９１，９２とレールの接触面は必ず凸部となるようレール，リンクを配置することで、軸受けローラ９１，９２に与える負荷を軽減する方法や連結部の段差部、或いは、軸受けローラ９１，９２とレールの接触面側の全面をガイドレール軌跡に追従可能な薄肉板で覆い、段差を防止させることも可能である。
【００２７】
【発明の効果】
本発明によれば、高倍率の延伸や延伸区間を短縮させた急激な延伸、特にＴＤ方向の高倍率延伸に対して対応可能なシート状物の延伸機を達成できる。
【００２８】
また、多関節ガイドレールを用いることにより、ＴＤ方向の延伸倍率を無段変換可能にすることができる。
【図面の簡単な説明】
【図１】本発明の実施例である横延伸機の平面図である。
【図２】本発明の実施例である等長リンクの断面図である。
【図３】本発明の延伸機平面方向の延伸部拡大図である。
【図４】延伸部角度と掴みピッチ保持率の関係図である。
【図５】本発明のその他の実施例である等長リンクの断面図である。
【図６】本発明のその他の実施例を示す多関節ガイドレールの延伸部を示す平面図である。
【図７】従来の延伸機平面方向の延伸部拡大図である。
【符号の説明】
１…シート状物、２…掴み装置、３…無端リンク装置、４…入口スプロケット、５…シート側ガイド、６…中間ガイド、７…反シート側ガイド、８…出口スプロケット、１０…シート側リンク軸、１１…反シート側リンク軸、１２…リンクプレート、１３…チェーンリンク、２１…把持部、３１…等長リンク装置、９１，９２…軸受けローラ。
【図１】
2004122640.tif 000003
【図２】
2004122640.tif 000004
【図３】
2004122640.tif 000005
【図４】
2004122640.tif 000006
【図５】
2004122640.tif 000007
【図６】
2004122640.tif 000008
【図７】
2004122640.tif 000009